(57)【要約】      （修正有）【課題】靴に通気孔を開けて通気性を良くし、必要に応じて通気孔を密閉することにより、靴内への水の浸入を防止でき、装飾的効果も発揮する通気性を有する革靴を提供する。【解決手段】革靴１の爪革２の上部中央に通気孔３を穿設し、通気孔を開閉自在と成す防水カバー４の一端側を爪革に固着し、防水カバーの他端側を爪革と係着手段５で係着自在にしたことを特徴とする。防水カバーが、帯状のカバー本体と、その裏面の長手方向の略中央に装着した弾性蓋体４２とから少なくとも成り、弾性蓋体が、独立発泡のスポンジ盤であることが好ましい。【選択図】図１
0003195701.tif 000002
【実用新案登録請求の範囲】
【請求項１】
革靴（１）の爪革（２）の上部中央に通気孔（３）を穿設し、その通気孔（３）を開閉自在と成す帯状防水カバー（４）の一端側を前記爪革（２）に固着し、前記帯状防水カバー（４）の他端側を前記爪革（２）と係着手段（５）で係着自在にした通気性を有する革靴。
【請求項２】
前記帯状防水カバー（４）が、帯状のカバー本体（４１）と、その裏面（４１a）の長手方向の略中央に装着した弾性蓋体（４２）とから少なくとも成り、且つ、前記係着手段（５）が、前記帯状防水カバー（４）と前記爪革（２）とに設けて互に係着可能な一対の面ファスナー（５１）である請求項１記載の通気性を有する革靴。
【請求項３】
前記弾性蓋体（４２）が、独立発泡のスポンジ盤である請求項１又は２記載の通気性を有する革靴。
【請求項４】
前記面ファスナー（５１）が、前記帯状防水カバー（４）に装着したカバー用面ファスナー（５１a）の長さ（Ａ）を、前記爪革（２）に装着した爪革用面ファスナー（５１b）の長さ（Ｂ）よりも長くした請求項２又は３記載の通気性を有する革靴。
【考案の詳細な説明】
【技術分野】
【０００１】
本考案は、革靴に設けた通気穴が開閉でき、履いた状態で足が蒸れない通気性を有する革靴に関する。
【背景技術】
【０００２】
従来、革靴を履いた足が蒸れないように、革靴に通気孔を開けたものもあるが、単に通気孔を穿設しただけでは、雨水や水溜りに対して通気孔から靴内に水が入り込み、靴内を濡らすおそれが生じ、不快感を呈していた。
【０００３】
これに対し、靴に通気孔を開けた靴であっても、雨水等の水が入り込まないようにした次のものが開示されている
【０００４】
例えば、特許文献１(特開２００４−２０８７６０号公報)では、靴に開けた通気孔の直径を、水滴に作用する重力が表面張力以下になるような大きさに設定し、水滴が靴内に入らないようにしたものである。
【０００５】
また、特許文献２(実開平７−１１９０９号公報)では、靴の表材に通気孔を開け、表材の裏に防水材を接着した蒸れない靴が開示されている。
【０００６】
更に、特許文献３(実開平６−２１４０２号公報)では、靴に換気孔を開け、履き口部分に靴の内壁との隙間を塞ぐ覆いを設けた靴が提案され、しかも換気孔には、覆いを設け雨水が入らないようにしている。
【先行技術文献】
【特許文献】
【０００７】
【特許文献１】特開２００４−２０８７６０号公報
【特許文献２】実開平７−１１９０９号公報
【特許文献３】実開平６−２１４０２号公報
【考案の概要】
【考案が解決しようとする課題】
【０００８】
しかしながら、従来の特許文献１〜３の通気孔を有する靴においては、次のような問題点を有していた。
即ち、特許文献１では、靴に開けた通気孔の直径を、水滴に作用する重力が表面張力以下
になるような大きさに設定し、水滴が靴内に入らないようにしたものであるが、革のよう
な素材に、通気孔の直径を水滴が入らないように加工するのは極めて難しく、例え、その
様な加工が出来たとしても、その通気孔が微細であるから、泥や靴墨等により目詰まりを
起し、やがて通気性が悪くなる問題点を有していた。
【０００９】
また、特許文献２では、靴の表材に通気孔を開け、表材の裏に防水材を接着したものであるが、この防水材にしても特許文献１と同様に目詰まりを起し、通気性が悪くなる問題
点を有していた。
【００１０】
更に、特許文献３では、換気孔には、覆いを設け雨水が入らないようにしているが、この覆いの開口部は、甲革に開けた換気孔よりも地面に近い部分に開いている。
つまり換気孔と開口部とを管状の覆いで連結した状態であり、雨水に対しては雨水が入り難い一定の効果を有するも、通常このような覆いがあると、換気の通りが悪くなり、そのため、強制的に換気させる必要性が生じ、履き口部分に足と靴の内壁との隙間を塞ぐ覆いを更に設けて強制的に換気させている。
このような構成においては、靴底近くに常時開口された開口部から強制的に吸排気が行われるため、少しの水溜りでも開口部が水に浸かり、そこから水が靴内に吸引され易く、
しかも、履き口部分に覆いがあると、履き口部分の通気性をより悪くし、履く際にも面倒であり、構造的も複雑となる問題点を有していた。
【００１１】
本考案は、靴に通気孔を開けて通気性を良くし、必要に応じて通気孔を密閉することにより、靴内に水の侵入を防止でき、装飾的効果も発揮する通気性を有する革靴を提供することを目的する。
【課題を解決するための手段】
【００１２】
本考案は、上記問題点に鑑み、これを解消するものであり、革靴（１）の爪革（２）の上部中央に通気孔（３）を穿設し、その通気孔（３）を開閉自在と成す帯状防水カバー（４）の一端側を前記爪革（２）に固着し、前記帯状防水カバー（４）の他端側を前記爪革（２）と係着手段（５）で係着自在にしたものである。
【００１３】
前記帯状防水カバー（４）が、帯状のカバー本体（４１）と、その裏面（４１a）の長手方向の略中央に装着した弾性蓋体（４２）とから少なくとも成り、且つ、前記係着手段（５）が、前記帯状防水カバー（４）と前記爪革（２）とに設けて互に係着可能な一対の面ファスナー（５１）であるのがよい。
【００１４】
前記弾性蓋体（４２）が、独立発泡のスポンジ盤であるのがよい。
【００１５】
前記面ファスナー（５１）が、前記帯状防水カバー（４）に装着したカバー用面ファスナー（５１a）の長さ（Ａ）を、前記爪革（２）に装着した爪革用面ファスナー（５１b）の長さ（Ｂ）よりも長くするのがよい。
【考案の効果】
【００１６】
本考案では、革靴（１）の爪革（２）の上部中央に通気孔（３）を穿設したことにより、革靴（１）内の蒸れ易い爪先側に通気性が確保され、足の蒸れを防止できると共に、通気孔（３）には開閉自在な帯状防水カバー（４）を装着したことにより、この帯状防水カバー（４）によって、通気孔（３）を必要に応じて開閉でき、晴天時には通気孔（３）を開口して通気性をよくし、雨天時には閉鎖して通気孔（３）からの水の侵入を防止することができる利点を有する。
【００１７】
また、帯状防水カバー（４）は、その一端側を前記爪革（２）に固着し、帯状防水カバー（４）の他端側を前記爪革（２）と係着手段（５）で係着自在にした構成であるから、通気孔（３）を閉鎖する際には帯状防水カバー（４）を平に伸ばした状態で帯状防水カバー（４）の他端側を係着手段（５）で係着させれば、帯状防水カバー（４）が通気孔（３）を閉鎖でき、雨水等の侵入を阻止できる。
他方、通気孔（３）を開口する際には、帯状防水カバー（４）の略中央を、上方に曲折させるように弛ませて通気孔（３）から離し、帯状防水カバー（４）の他端側を係着手段（５）で爪革（２）に係着する。
これにより通気孔（３）を覆う帯状防水カバー（４）の部分が、通気孔（３）の上方に離れ通気孔（３）を開口する。
しかも、帯状防水カバー（４）の両端は、通気孔（３）の開閉に関係なく常に革靴（１）の爪革（２）に固定して使用でき、使用中に帯状防水カバー（４）がぶらつくこともない。
また、通気孔（３）を開口した状態においても、帯状防水カバー（４）で通気孔（３）が殆んど見えないので見栄えがよく、しかも帯状防水カバー（４）が革靴（１）の装飾の役目も成す。
【００１８】
また、前記帯状防水カバー（４）が、帯状のカバー本体（４１）と、その裏面（４１a）の長手方向の略中央に装着した弾性蓋体（４２）を設け、しかも弾性蓋材（４２）が、独立発泡のスポンジ盤にしたことにより、通気孔（３）を閉鎖する際には通気孔（３）の淵回りと弾性的に密着し、外からの水の侵入を確実に防止する。
このことは、通気孔（３）の淵回りの爪革（２）が多少歪んで変形していても、前記弾性蓋材（４２）が、スポンジ盤であるから、その爪革（２）の変形に倣って密着することができ、これにより通気孔（３）を確実に密閉することが出来る。
その際に、弾性部材（４２）のスポンジ盤が独立発泡体のものであるから、スポンジ盤内に水が浸入することもなく、密閉された通気孔（３）から決して水が浸入することもない。
【００１９】
また、前記係着手段（５）が面ファスナー（５１）では、その面ファスナー（５１）が前記帯状防水カバー（４）に装着したカバー用面ファスナー（５１a）の長さ（Ａ）を、前記爪革（２）に装着した爪革用面ファスナー（５１b）の長さ（Ｂ）よりも長くしたことにより、通気孔（３）を開閉のどちらにした状態で面ファスナー（５１）を係着しても、常にカバー用面ファスナー（５１a）が爪革用面ファスナー（５１b）を覆った状態で係着するため、爪革用面ファスナー（５１b）が帯状防水カバー（４）から露出することがなく、見栄えが良い。
【図面の簡単な説明】
【００２０】
【図１】本考案の全体斜視図である。
【図２】本考案の要部を示す断面図である。
【図３】本考案の帯状防水カバーの裏面を示す平面図である。
【図４】本考案の通気孔を密閉した状態を示す説明図である。
【図５】本考案の通気孔を開口した状態を示す説明図である。
【考案を実施するための形態】
【００２１】
以下、本考案の実施形態につき、図を基に説明する。図１、図２に示すように、（１）は革靴であり、天然皮や合成皮で作られたものである。
この革靴（１）は、通常は革製の短靴を対象とするも、ブーツ靴等にも適用される。
【００２２】
その革靴（１）の爪革（２）の上部中央に、爪革（２）を貫通する通気孔（３）を穿設し、その通気孔（３）の形状としては、丸孔が加工上好ましい。
また、通気孔（３）の穴径は、略１０ｍｍ〜２０ｍｍの範囲が革靴（１）の大きさに対して好ましく、特には１２〜１８ｍｍ程度がよい。                          
尚、通気孔（３）の形状は、上記の丸孔に限定されず、角形状、楕円形状等でもよい。
【００２３】
そして爪革（２）には、通気孔（３）を開閉自在に覆う帯状防水カバー（４）を装着している。
その帯状防水カバー（４）は、図３に示すように、帯状のカバー本体（４１）と、その裏面（４１a）の長手方向の略中央に装着した弾性蓋体（４２）とから少なくとも成る。
このカバー本体（４１）は、帯状の革製で、長さが略約５０〜８０ｍｍ、幅が通気孔（３）の穴径よりも５〜１０ｍｍ程度大きいものであり、一端側を前記爪革（２）に接着あるいは糸で縫着して固着させ、他端側を前記爪革（２）と係着手段（５）で係着自在にしたものである。
弾性蓋体（４２）は、柔軟な弾性材で、特には独立発泡のスポンジ盤がよく、通気孔（３）を直接開閉できるように、カバー本体（４１）の裏面（４１a）に設けたものである。
その形状としては、通気孔（３）の形状に合わせた形状がよく、例えば、図３に示すように、通気孔（３）が丸孔では円盤状が好ましい。
また、弾性蓋体（４２）の大きさは、通気孔（３）が完全に被さる大きさであり、円盤状のものでは、その外径が略カバー本体（４１）の幅寸法と略同じとするのがよく、弾性蓋体（４２）の厚さは、帯状防水カバー（４）を伸ばした状態で爪革（２）に係着した際に、通気孔（３）を閉鎖できる厚さである。
尚、帯状防水カバー（４）のカバー本体（４１）が革製でなく、例えば、ゴム製や軟質合成樹脂製の場合には、弾性蓋体（４２）をカバー本体（４１）と一体的に形成してもよい。
【００２４】
係着手段（５）は、前記爪革（２）の表面と前記帯状防水カバー（４）の裏面（４a）端部側とに設け、それらが互に係着可能とする一対の面ファスナー（５１）から成る。
しかも、帯状防水カバー（４）の裏面（４a）に設けたカバー用面ファスナー（５１a）の長さ（Ａ）が、爪革（２）に設けた爪革用面ファスナー（５１b）の長さ（Ｂ）よりも略３〜５倍程度長くしている。
これにより、爪革用面ファスナー（５１b）に係着するカバー用面ファスナー（５１a）の係着位置が、その長さ（Ａ）の範囲で自由に変更可能となり、従って、爪革（２）に対する帯状防水カバー（４）の係着が、通気孔（３）が密閉した状態に伸ばした状態にさせたり、通気孔（３）を開口した状態に撓ませて係着させることができ、しかも面ファスナー（５１）の係着状態では、爪革（２）に設けた爪革用面ファスナー（５１b）が帯状防水カバー（４）から決して露出することがなく、見栄えのよいものとなる。
【００２５】
次に、図４、図５を基に、通気孔（３）を開閉する帯状防水カバー（４）の作用について説明すると、先ず、通気孔（３）を閉鎖する場合、図４に示すように、帯状防水カバー（４）を平に伸ばした状態で帯状防水カバー（４）の他端側を係着手段（５）で係着すると、帯状防水カバー（４）の裏面（４１a）に突出して設けた弾性蓋体（４２）が通気孔（３）を弾性的に覆い、帯状防水カバー（４）が通気孔（３）を閉鎖でき、雨天でも雨水の侵入を阻止できると共に、水溜りの水が通気孔（３）から侵入することもない。
【００２６】
他方、通気孔（３）を開口する場合、図５に示すように、帯状防水カバー（４）の中央を、上方に曲折させるように弛ませて通気孔（３）から離し、帯状防水カバー（４）の他端側を係着手段（５）で爪革（２）に係着する。
このように係着できるのは、帯状防水カバー（４）の裏面（４１a）に沿って設けたカバー用面ファスナー（５１a）の長さ（Ａ）が、爪皮（２）に設けた爪皮用面ファスナー（５１b）の長さ（Ｂ）よりも長くしているため、爪革用面ファスナー（５１b）に対するカバー用面ファスナー（５１a）の係着位置が自由に変更できるからである。
これにより帯状防水カバー（４）の略中央部分、特に弾性蓋体（４２）が、通気孔（３）の上方に離れ通気孔（３）を開口し、革靴（１）の爪先内部の通気性が確保される。
【００２７】
このように、本考案の通気性を有する革靴においては、帯状防水カバー（４）が通気孔（３）を開閉する機能を有すると共に、革靴の飾りとして装飾的な効果を発揮できるものである。
【符号の説明】
【００２８】
１  革靴
２  爪革
３  通気孔
４  帯状防水カバー
４１  カバー本体
４１a  裏面
４２  弾性蓋体
５  係着手段
５１  面ファスナー
５１a  カバー用面ファスナー
５１b  爪革用面ファスナー
Ａ、Ｂ  長さ
【図２】
0003195701.tif 000003
【図１】
0003195701.tif 000004
【図３】
0003195701.tif 000005
【図４】
0003195701.tif 000006
【図５】
0003195701.tif 000007